(57)【要約】【課題】写真撮影装置を持った携帯電話に代表される薄型撮影機は厚さが薄い為三脚が直接取り付けられず、自動撮影が出来なかった。【解決手段】上面に小径の撮影機取り付けボルトを持った三脚取り付装置又は弾力性体で出来た薄型撮影機保持具、一方向保持具に縦方向三脚取り付け具、横方向三脚取り付け具を設けることにより映像表示板を縦、横向きで使用出来る携帯電話及び薄型撮影機の三脚取り付け装置．【選択図】図４
2011028189.tif 000002
【特許請求の範囲】
【請求項１】
薄型撮影機（２）に電子シャッター（３）と連動したタイマー（７）、撮影機取り付け金具（８）を設け、三脚取り付装置（１３）の上面に撮影機取り付けボルト（９）、下面には縦方向三脚取り付け具（１０）更に横方向三脚取り付け具（１１）を設ける事による携帯電話及び薄型撮影機の三脚取り付け装置．
【請求項２】
薄型撮影機（２）に電子シャッター（３）と連動した入力端子（５）、を設け三脚取取り付装置（１３）にタイマー（７）、電源（４）、出力ケーブル（６）、を設け、上面に撮影機取り付けボルト（９）、下面には縦方向三脚取り付け具（１０）更に横方向三脚取り付け具（１１）を設ける事による携帯電話及び薄型撮影機の三脚取り付け装置．
【請求項３】
薄型撮影機（２）に電子シャッター（３）と連動したタイマー（７）、を設け、縦方向開口部（１４）横方向開口部（１５）を持つた薄型撮影機保持具（１９）に設け、周りを弾力性体（１６）で作成し、更に横方向開口部（１５）に狭い開口部（１７）を設け、下面には縦方向三脚取り付け具（１０）更に横方向三脚取り付け具（１１）を設けた携帯電話及び薄型撮影機の三脚取り付け装置．
【請求項４】
薄型撮影機（２）に電子シャッター（３）と連動した入力端子（５）、を設け、薄型撮影機保持具（１９）にタイマー（７）、電源（４）、出力ケーブル（６）、を設け、更に横方向開口部（１４）に狭い開口部（１７）を設け、下面には縦方向三脚取り付け具（１０）更に横方向三脚取り付け具（１１）を設けた携帯電話及び薄型撮影機の三脚取り付け装置．
【請求項５】
薄型撮影機（２）に電子シャッター（３）と連動したタイマー（７）、を設け、縦方向開口部（１４）が一方向のみの一方向保持具（２０）の周りを弾力性体（１６）で作成し、更に縦方向開口部（１４）狭い開口部（１７）を設け更に下面には縦方向三脚取り付け具（１０）更に横方向三脚取り付け具（１１）を設けた携帯電話及び薄型撮影機の三脚取り付け装置．
【請求項６】
薄型撮影機（２）に電子シャッター（３）と連動した入力端子（５）、を設け、一方向保持具（２０）にタイマー（７）、電源（４）、出力ケーブル（６）、を設け、更に縦方向開口部（１４）狭い開口部（１７）を設け更に下面には縦方向三脚取り付け具（１０）更に横方向三脚取り付け具（１１）を設けた携帯電話及び薄型撮影機の三脚取り付け装置．
【発明の詳細な説明】
【技術分野】
【０００１】本発明は、写真撮影装置を持った携帯電話及び薄型撮影機の三脚取り付け、自動撮影機能を動作させる為の分野に関する物である。
【背景技術】
【０００２】従来写真撮影装置を持った携帯電話には自動撮影機能が付いていなかった。
三脚と自動撮影機能を取り付けるが問題であった。
【発明の開示】
【発明が解決しようとする課題】
【０００３】そのために次のような問題点があった．
（イ）三脚取り付ボルトは外径が約６．５ｍｍに統一されている為に携帯電話には直接三脚を取り付るには難しい。
（ロ）携帯電話には色々の機能が付いている為自動撮影に必要なタイマーは外部に取り付けた方が便利である。
（ハ）映像表示板を縦又は横方向にして使用する場合の二通りがある。
【課題を解決する手段】
【０００４】（イ）上記の問題点を解決する為携帯電話には小径ボルトで取り付け、三脚取り付装置側には規格のナットを取り付ける。
（ロ）縦、横方向の二箇所に規格ナットを取り付ければ、映像表示板を縦又は横方向にして使用する場合の二通りが出来る。
（ハ）携帯電話側にはナットを設けずに周囲が弾力性材で出来た保持具に携帯電話を差込、保持し、この保持具に縦又は横方向に規格のナットを取り付ける方法がある。
（ニ）タイマーを携帯電話側にを設けず三脚取り付装置又は薄型撮影機保持具側に設ける方法がある。
【発明の効果】
【０００５】その結果、次の効果が生じる．
（イ）携帯電話側には撮影機取り付け金具を設ける方法の場合は小径のナットを設ければ良い為、薄く出来又映像表示板を縦、横方向で使用出来る。
（ロ）周囲が弾力性体で出来た保持具に携帯電話を差込む方法によれば、小径のナットを携帯電話側には設ける必要がなく、又更に映像表示板を縦、横方向で使用出来る。
（ハ）自動撮影に必要なタイマーはこれら三脚取り付装置又は薄型撮影機保持具を設ければ携帯電話側の機能変更が少しで済み、操作性が簡単である。
【発明を実施する為の最良の形態】
【０００６】以下本発明の実施形態について説明する．
（イ）図１は薄型撮影機（２）に電子シャッター（３）と連動したタイマー（７）、撮影機取り付け金具（８）を設けた場合であり、この場合は三脚取り付装置（１３）の上面に撮影機取り付けボルト（９）、下面には縦方向三脚取り付け具（１０）を設ける．
この場合は映像表示板（１）、を横向きで三脚（１２）に取り付け、使用出来る。
更に横方向三脚取り付け具（１１）を設ければ映像表示板（１）、を縦、横出来る
（ロ）図２は薄型撮影機（２）に電子シャッター（３）と連動した入力端子（５）、撮影機取り付け金具（８）を設けた場合であり、三脚取り付装置（１３）にタイマー（７）、電源（４）、出力ケーブル（６）、を設ければ薄型撮影機（２）にはタイマー（７）、を設けないので、機能変更が少しで済み、操作性が簡単である。
（ハ）図３は薄型撮影機（２）にはタイマー（７）、を設け、撮影機取り付け金具（８）を設けない方法であり、縦方向開口部（１４）横方向開口部（１５）を薄型撮影機保持具（１９）に設け、周りを弾力性体（１６）で作成し、更に横方向開口部（１５）に狭い開口部（１７）を設け更に下面には縦方向三脚取り付け具（１０）横方向に横方向三脚取り付け具（１１）を設ける．
更にレンズ開口部（１８）を設ければ映像表示板（１）、を縦、横向きで出来る。
（ニ）図４は薄型撮影機（２）に電子シャッター（３）と連動した入力端子（５）を設けた場合であり、薄型撮影機保持具（１９）にタイマー（７）、電源（４）、出力ケーブル（６）、を設ける方法であり映像表示板（１）、を縦、横向きで出来る。
（ホ）図５は薄型撮影機（２）にはタイマー（７）、を設け、縦方向開口部（１４）が一方向のみの一方向保持具（２０）の方法であり、周りを弾力性体（１６）で作成し、更に縦方向開口部（１４）狭い開口部（１７）を設け更に下面には縦方向三脚取り付け具（１０）横方向に横方向三脚取り付け具（１１）を設ける．
更にレンズ開口部（１８）を設ければ映像表示板（１）、を縦、横向きで出来る。
（ヘ）図６は薄型撮影機（２）入力端子（５）を設けた場合であり一方向保持具（２０）にタイマー（７）、電源（４）、出力ケーブル（６）、を設ける方法であり映像表示板（１）、を縦、横向きで使用出来る。
【図面の簡単な説明】
【０００７】
【図１】本発明の全体説明図である．
【図２】本発明の全体説明図である．
【図３】本発明の全体説明図である．
【図４】本発明の全体説明図である．
【図５】本発明の全体説明図である．
【図６】本発明の全体説明図である．
【符号の説明】１．映像表示板  ２．薄型撮影機  ３．電子シャッター  ４．電源  ５．入力端子  ６．出力ケーブル  ７．タイマー  ８、撮影機取り付け金具  ９、撮影機取り付けボルト  １０、縦方向三脚取り付け具  １１．横方向三脚取り付け具  １２．三脚  １３．三脚取り付装置  １４．縦方向開口部  １５．横方向開口部  １６．弾力性体  １７．狭い開口部  １８．レンズ開口部  １９．薄型撮影機保持具  ２０．一方向保持具
【図１】
2011028189.tif 000003
【図２】
2011028189.tif 000004
【図３】
2011028189.tif 000005
【図４】
2011028189.tif 000006
【図５】
2011028189.tif 000007
【図６】
2011028189.tif 000008